(57)【特許請求の範囲】
【請求項１】
縦長のハンドルバーの一端を扉に対し固定すると共に、ハンドルバーの他端には肉薄部を介して連結レバーの外端を連設し、これらハンドルバー、肉薄部及び連結レバーの全体を弾性高分子材料で一体に形成し、更に、連結レバーはその中央部において扉に固定した台座に対し枢軸で揺動可能に枢着すると共に、連結レバーの内端を錠箱のラッチ機構に連係させたことを特徴とする扉のハンドル装置。
【発明の詳細な説明】
【０００１】
【発明の属する技術分野】
この発明は扉のハンドル装置に関する。更に詳しくは、扉に設けられたラッチ錠を操作できる新規の可動型のハンドル装置に関する。
【０００２】
【従来の技術】
従来の可動型のハンドル装置によれば、扉の自由側端縁部に沿って上下方向に延在する縦長のハンドルバーが、例えば垂直な回動軸の回りを回動できるように支承されており、ハンドルバーを握ってこれを押し引きすると、そのハンドル操作によりハンドルバーが垂直な回動軸の回りを回動するので、その扉に対するハンドルバーの相対回動を利用して錠箱のラッチ機構が解錠位置に作動されることになる。
【０００３】
このようなハンドル装置は、ラッチ機構の解錠操作と扉の開放操作をハンドルバーによる一操作で行い得るので、使い勝手が良い。
【０００４】
しかしながら、上記した従来の可動型のハンドル装置は、構成部材が全て金属材料か、或いは硬いプラスチック性なので、ハンドルを可動に支承するための支持装置、或いは案内装置等を必要とし、構成が複雑になる、という点において未だ改良の余地がある。
【０００５】
【発明が解決しようとする課題】
この発明に係る扉のハンドル装置は、前記のような従来のハンドル装置を抜本的に改善したもので、構造を簡単にすると共に、操作音を可及的小さくし、また、作動も確実にすることを目的として提案されたものである。
【０００６】
【課題を解決するための手段】
上記の目的を達成するため、この発明の扉のハンドル装置は、縦長のハンドルバーの一端を扉に対し固定すると共に、ハンドルバーの他端には肉薄部を介して連結レバーの外端を連設し、これらハンドルバー、肉薄部及び連結レバーの全体を弾性高分子材料で一体に形成し、更に、連結レバーはその中央部において扉に固定した台座に対し枢軸で揺動可能に枢着すると共に、連結レバーの内端を錠箱のラッチ機構に連係させたことを特徴とする。
【０００７】
【発明の実施の形態】
以下、図面に示す実施例に基いてこの発明について説明する。この発明のハンドル装置は、出入口としての扉１０に設けるときは室外側及び室内側の両面に取り付けるのが普通であるが、物入れの扉に設ける時はその室外側の面にのみ取り付ければ済む。
【０００８】
図示の実施例において、ハンドル装置は扉１０の内外両面に対をなして設けられているが、ここでは、扉１０の室外側の（図１で右側）の表面に装着させたハンドル装置を代表させて説明する。
【０００９】
図１〜図３において、符号１は扉１０の自由側端縁部に沿って上下方向に延在するようにして取付けられる縦長のハンドルバーで、そのハンドルバー１は他端（図１で上端）において順次連設される肉薄部１１及び例えばＬ字状をなす連結レバー１２と共に、弾性及び可撓性に富むポリアミド樹脂、ポリプロピレン樹脂その他の弾性高分子材料で一体に形成されている。
【００１０】
ハンドルバー１は全体の形状が例えば外方に向け凸の弓形状に形成してあり、その一端（図１で下端）は取付ねじ４により例えば室内側から呼び付けられるようにして扉１０に固定される。符号１３はハンドルバー１の一端の取付面に必要に応じて接着される金属製の取付板である。
【００１１】
ハンドルバー１にはその長手方向に沿って補強の目的で芯材を埋設することもできる。
【００１２】
連結レバー１２を含むハンドルバー１の他端部（上端部）は、取付ねじ５で固定された中空の台座２に対し可動な関係で保持されている。
【００１３】
その台座２は、図１、図２及び図４に示すように、基板部２１及びフード部２２を備え、全体としてはスリッパ様をなし、ハンドルバー１よりも、硬質の高分子材料又は金属材料で作られる。
【００１４】
台座２の基板部２１の中央部分には、対を成す軸受部２３、２３が一体に突設してあり、その軸受部２３、２３には連結レバー１２の中央部に設けられた水平な枢軸３が回動可能に嵌め込まれている。
【００１５】
なお、台座の軸受部２３は、図４の（Ａ）に示すように、外方に開いた漏斗状の切欠部を有し、連結レバーの水平な枢軸３が嵌め込まれるとき拡開してこれを受入れ、以降枢軸３が抜け出ないようにこれを掴持する。
【００１６】
上記のようにして固定の台座２に対し揺動可能に支持された連結レバー１２は、その内端が基板部２１の開口２４を通じて錠箱２０内に突出させてあり、ラッチ錠におけるラッチ機構（図示しない）に連係させてある。
【００１７】
一方、連結レバー１２の外端は、図３に明示するように肉薄部１１を介してハンドルバー１の他端に一体にして可撓な関係で接続してある。
【００１８】
なお、連結レバー１２の内端部分には、ラッチ機構との係合作用の関係において、その部分の剛性を大きくするため金属製の角筒部分１２ａを嵌装させると良い。
【００１９】
扉１０の閉鎖状態（図１参照）においては、すなわち、ハンドルバー１に外力が加えられていない平常時においては、ハンドルバー１自体に予め付与された弾性力により、ハンドルバー１の他端は左方に、また連結レバー１２の外端は左回りに押し付けられ、台座２の基端部２１で共に受け止められているので、両部材１、１２は共にそれぞれの位置が規制されている。
【００２０】
扉１０の閉鎖状態において、ハンドルバー１を手で握って図１で矢印Ａ方向に引くと、図５に示すように、ハンドルバー１は弾性変形して上端が右方に変位する。
【００２１】
そして、ハンドルバー１と連結レバー１２との間の肉薄部１１における屈曲作用及び連結レバー１２の枢軸３による回動作用が相俟って枢軸３にこじり作用を与えることなく、連結レバー１２を例えば右回り（図１で矢印Ｂ方向）に揺動させて、その内端において錠箱２０内のラッチ機構（図示しない）を解錠位置に変位させる。
【００２２】
更にそのままハンドルバー１を引き続ければ、扉１０は矢印Ｃ方向に向けて回動し、開放されることになる。
【００２３】
なお、この際の台座２に対するハンドルバー１の最大変位量は、ハンドルバー１の上端（他端）をフード部２２の開口端部に当接させることにより規制させることができる。
【００２４】
逆に、扉１０をドアクローザ又は手で閉鎖させハンドルバー１から手を離せば、変位していた各部材はハンドルバー１の弾性復元力により当初の平常位置に戻る。
【００２５】
扉１０の室外側（図１で右側）に設けたハンドル装置の構造及び作用は前述の通りである。
【００２６】
それと対称的に設けることができるハンドル装置、すなわち、扉１０の室内側（図１で左側）の表面に装着したハンドル装置は、前述のものとは構造上は次に述べる部分が主として異なり、また、作用上はそれに準ずるから、ここでの説明は簡略に留める。
【００２７】
扉１０を開放させる時、左側のハンドルバー１は矢印Ｄの方向に押して開扉させると使い勝手が良いので、ハンドルバー１のそれ自体による付勢方向は台座２から遠ざかる方向とし、平常時におけるハンドルバー１の位置の規制はその上端（他端）をフード部２２の開口縁部に当接させて行うとよい。
【００２８】
また、ハンドルバー１が操作される時、ハンドルバー１は台座２に対し平常位置より押し込まれるので、両者間にはその押込み分に足る逃げを要する。図１で矢印Ｅは室内側の連結レバー１２の操作時の揺動方向を示している。
【００２９】
前者、すなわち室外側のハンドル装置においては、連結レバー１２の外端側の部分とハンドルバー１の背面との位置関係は、ハンドルバーの引き操作の前後で（図１と図２の間で）、肉薄部１１に関して密接した閉状態からわずかな角度でＶ字状に開いた開状態に変化する。
【００３０】
一方、後者、すなわち室内側ののハンドル装置では、ハンドルバー１の押し操作の前後で、逆に開状態から閉状態に変化する点が異なっている。
【００３１】
なお、ハンドルバーの押し引きの際、肉薄部１１が連結レバー１２に従動するとすればその軌跡は枢軸３を中心とした円弧になり、ハンドルバー１に従動するとすればほぼ水平に移動する。
【００３２】
したがってハンドルバーを操作するときハンドルバー１と連結レバー１２との間に抉りが生じる如くであるが、肉薄部１１の移動料は僅かなのでこの抉りはほとんど問題にならず、また、問題になるとすれば、肉薄部１１の幅（図１で左右方向の寸法）を若干大きくすればよい。
【００３３】
【発明の効果】
以上に説明したこの発明の扉のハンドル装置は、部品点数が少なく構造が極めて簡単である。
【００３４】
また、ハンドルバーの押し引きの操作において主たる変位部材であるハンドルバー及び連結レバーが一体で弾性高分子材料で形成されているので、台座との間の衝合又は摺接による操作等がほとんど発生することが無く、更に、その作動も確実であるなど種々の効果を奏する。
【図面の簡単な説明】
【図１】この発明の扉のハンドル装置の実施例を示す部分縦断側面図。
【図２】その正面図。
【図３】ハンドルレバーと連結レバーとの関連構造を展開状態として示す。
【図４】図１の実施例から取り外した台座を表す図で、（Ａ）は部分縦断側面図、（Ｂ）はフード部を断面にして示す正面図である。
【図５】図１の実施例の操作時における部分縦断側面図。
【符号の説明】
１０  扉
２０  錠箱
１  ハンドルバー
１１  肉薄部
１２  連結レバー
２  台座
３  枢軸
【図１】
0004051118.tif 000002
【図２】
0004051118.tif 000003
【図３】
0004051118.tif 000004
【図４】
0004051118.tif 000005
【図５】
0004051118.tif 000006